(57)【特許請求の範囲】
【請求項１】
外枠組み体と、この外枠組み体の内側で移動する引戸本体とを有する引戸装置において、
前記引戸本体が収納される戸袋を有するとともに、この戸袋は前記外枠組み体を形成するものとなっており、
前記戸袋での前記外枠組み体の外面が外面形成部材で形成されているとともに、この外面形成部材の配置位置には、前記戸袋の骨組み材又は補強部材となっていて、前記引戸本体の移動方向に長くなっている下地部材が配置され、
前記戸袋での前記外枠組み体の前記外面形成部材及び前記下地部材による厚さの範囲内に、前記引戸本体の移動方向へ延びる空間部が形成され、この空間部に、配線、配管類が前記引戸本体の移動方向へ延びて配設されていることを特徴とする引戸装置。
【請求項２】
請求項１に記載の引戸装置において、前記配線、配管類は、前記戸袋における前記引戸本体の移動で開閉される開口部の側の見切り材の内部にも配設されていることを特徴とする引戸装置。
【請求項３】
請求項１又は２に記載の引戸装置において、前記下地部材は前記戸袋の内外方向に屈曲した屈曲材からなり、この下地部材の屈曲により前記空間部が形成されていることを特徴とする引戸装置。
【請求項４】
請求項３に記載の引戸装置において、前記下地部材は、フランジ部と、このフランジ部から前記戸袋の厚さ方向にずれた位置に設けられた屈曲突出部と、これらのフランジ部と屈曲突出部とを連結する屈曲突辺部とを有し、前記配線、配管類は前記屈曲突辺部の上に置かれていることを特徴とする引戸装置。
【請求項５】
請求項１〜４のいずれかに記載の引戸装置において、前記空間部は、戸袋内側の側面が開放され、戸袋外側の側面が塞がれたものとなっていることを特徴とする引戸装置。
【請求項６】
請求項１〜４のいずれかに記載の引戸装置において、前記空間部は、戸袋内側の側面と戸袋外側の側面との両方が塞がれたものとなっていることを特徴とする引戸装置。
【請求項７】
請求項１〜６のいずれかに記載の引戸装置において、前記配線、配管類は、前記下地部材に取り付けられた保持部材で保持されて前記空間部に配設されていることを特徴とする引戸装置。
【発明の詳細な説明】
【０００１】
【発明の属する技術分野】
本発明は、外枠組み体の内側で引戸本体が移動する引戸装置に係り、電気装置や電気機器類のための配線及び／又は気体、液体等のための配管類を戸袋に配設する際に利用できるものである。
【０００２】
【背景技術】
外枠組み体と、この外枠組み体の内側で移動する引戸本体とを有する引戸装置は、例えば、部屋と廊下や、部屋と部屋のように、互いに隣接する２つの室内空間を仕切るための手段として各種建物や構築物で利用されている。この引戸装置が病院に設置される場合には、例えば、電気装置であるナースコール等のための配線や酸素供給装置等のための配管類を引戸装置に配設しなければならないときがある。
【０００３】
従来、このような配線、配管類を引戸装置の設置箇所に配設するためにはそのための専用部材を用意し、この専用部材により配線、配管類の配設を行っていた。
【０００４】
【発明が解決しようとする課題】
この従来技術によると、配線、配管類を引戸装置の設置箇所に配設するために専用部材を用意しなければならないとともに、引戸装置の構造もこの部材に合わせた仕様にしなければならない。
【０００５】
本発明の目的は、配線、配管類を合理的に配設できるようになる引戸装置を提供するところにある。
【０００６】
【課題を解決するための手段】
本発明に係る引戸装置は、外枠組み体と、この外枠組み体の内側で移動する引戸本体とを有する引戸装置において、前記外枠組み体を形成する部材の内部の空間部に配線、配管類が配設されることを特徴とするものである。
【０００７】
この引戸装置によると、配線、配管類は、外枠組み体を形成する部材の内部の空間部に配設されるため、外枠組み体を形成する部材の内部にある空間部が配線、配管類を配設するために利用されることになる。このため、引戸装置の設置箇所に配線、配管類を配設するためにそのための専用部材を用意する必要がなく、また、引戸装置の構造をこの専用部材に合わせた仕様にする必要がなく、配線、配管類の配設を合理的に行えることになる。
【０００８】
本発明において、外枠組み体を形成し、かつ内部の空間部に配線、配管類が配設される部材は、例えば、無目でもよく、引戸本体戸先側や戸尻側の縦枠でもよく、また、引戸本体が収納される戸袋を備えた引戸装置では、この戸袋も外枠組み体を形成するものとなるため、戸袋を形成する部材でもよい。
【０００９】
また、外枠組み体を形成し、かつ内部の空間部に配線、配管類が配設される部材は、１個でもよく、あるいは、１本の連続している配線、配管類を配設するために互いに接続されている又は接続状態となっている又は接続されていない複数の部材でもよい。
【００１０】
また、本発明は複数本の配線、配管類を配設するためにも適用でき、これらの配線、配管類は同じ部材の内部の空間部に配設してもよく、それぞれ別となった部材の内部の空間部に配設してもよい。
【００１１】
また、内部に配線、配管類が配線される空間部を有している部材は、例えば、中空管のように、その空間部の周囲全体が密閉状態となっているものでもよく、例えば、チャンネル材のように、その空間部の周囲の一部が開口しているものでもよい。
【００１２】
また、引戸装置が引戸本体を収納するための戸袋を有しているものであって、この戸袋が、外面形成部材が取り付けられる下地部材を含んで形成され、この下地部材が戸袋の内外方向に屈曲した屈曲材からなる場合には、この下地部材の屈曲により戸袋内外方向を厚さ方向として形成されている空間部に配線、配管類を配設してもよい。
【００１３】
これによると、戸袋は、外面形成部材が取り付けられる下地部材を含んで形成され、この下地部材は戸袋内外方向に屈曲した屈曲材からなり、したがって、この下地部材の強度は屈曲によって大きくなっており、このため、戸袋の全体強度も大きくなっている。
【００１４】
このように大きな強度を確保するために戸袋内外方向に屈曲した屈曲材からなっている下地部材には、戸袋内外方向を厚さ方向とする空間部が形成されることになり、この空間部に配線、配管類を配設すると、戸袋における配線、配管類の配設を、専用部材を用意することなく、また、戸袋の構造をこの専用部材に合わせた特別な仕様にすることなく、合理的に行えることになり、また、屈曲材による下地部材で強度が大きくなっている戸袋に配線、配管類を有効に配設できることになる。
【００１５】
また、配線、配管類は上記空間部に配設されるため、戸袋に対して引戸本体が出入りする際に、配線、配管類が邪魔になるおそれはない。
【００１６】
配線、配管類の配設のために利用する上記空間部は戸袋内外方向に屈曲した屈曲材からなる下地部材によって形成されるが、この屈曲材は任意なものでよく、下地部材が細長状部材である場合には、この屈曲材には、アングル材、チャンネル材（リップ付きとリップ無しの両方を含む）、Ｉ型材、Ｈ型材、Ｔ型材等が含まれ、また、長さ方向と直角をなす幅方向の途中部に戸袋の内側と外側のうちの少なくとも一方へ屈曲突出した屈曲突出部を有しているもの等も含まれる。また、屈曲材である限り下地部材は、中空材によるものでもよく、中実材によるものでもよい。
【００１７】
また、下地部材が細長状部材である場合には、この下地部材の戸袋における配設方向（下地部材の長さ方向）は、左右方向（戸袋の幅方向）でもよく、上下方向でもよく、これらの方向に対して斜めの方向でもよい。
【００１８】
そして、細長状部材となっている下地部材を用いて戸袋を形成する場合において、下地部材の個数は１個でもよく、複数個でもよい。下地部材を複数個とする場合には、これらの下地部材の並設方向は、戸袋の上下方向でもよく、左右方向でもよく、これらの方向に対して斜めの方向でもよく、さらには、これらの方向のうちの少なくとも２つの方向でもよい。
【００１９】
また、細長状部材となっている下地部材を複数個用いて戸袋を形成する場合には、前記配線、配管類を配設する下地部材は、これらの下地部材のうちの１個だけでもよく、複数個でもよい。
【００２０】
また、屈曲材からなるものである限り下地部材は、戸袋と同じ又は略同じ大きさの面積を有する大パネル状のものでもよく、戸袋より小さい面積を有する小パネル状のものでもよい。下地部材が小パネル状のものである場合には、下地部材の個数は、１個でもよく複数個でもよい。
【００２１】
また、このように下地部材がパネル状のものである場合には、前記配線、配管類を配設するための前記空間部を形成する屈曲部は、左右方向に延びるものでもよく、上下方向に延びるものでもよく、これらの方向に対して斜めの方向に延びるものでもよく、さらには、これらの方向のうちの少なくとも２つの方向に延びるものでもよい。
【００２２】
そして、このような屈曲部は、１個の下地部材について１個だけ設けられていてもよく、複数個設けられていてもよく、屈曲部の個数が複数個である場合には、配線、配管類を１個の屈曲部で形成される１個の空間部に配設してもよく、複数個の屈曲部で形成される１個又は複数個の空間部に配設してもよい。
【００２３】
配線、配管類を前記空間部に配設するときは、配線、配管類をこの空間部中に架設した状態で配設してもよく、あるいは、戸袋内外方向への屈曲によって下地部材には屈曲突辺部が設けられているため、配線、配管類をこの屈曲突辺部の上に載せて配設してもよい。
【００２４】
後者によると、配線、配管類を安定して配設できることとなる。
【００２５】
また、配線、配管類を前記空間部に配設する際は、下地部材に取り付けられる保持部材に保持させて配設することが好ましい。
【００２６】
これによると、空間部からの配線、配管類の脱落を保持部材によって防止でき、所定位置に配線、配管類を所定どおり配設できることになる。
【００２７】
また、保持部材は下地部材に取り付けられ、屈曲材からなるこの下地部材は戸袋の骨組み材又は補強材となっているため、下地部材の強度を利用して配線、配管類を配設できることになる。
【００２８】
このように下地部材に取り付けられる保持部材で保持させて配線、配管類を配設する場合において、保持部材による配線、配管類の保持の方式は、例えば、フック式でもよく、抱持式でよく、押え込み式でもよく、任意である。また、下地部材に保持部材を取り付けるためには、ビス、リベット、ピン等の止着具を用いてもよく、溶接、接着、粘着等の固定手段を用いてもよく、あるいは、下地部材と保持部材とを係止、係合、引っ掛け、嵌合等することにより行ってもよい。
【００２９】
また、屈曲材からなる下地部材で形成される前記空間部は、戸袋内側の側面が開放され、戸袋外側の側面が前記下地部材の一部によって塞がれたものとなっていてもよく、あるいは、戸袋内側の側面が下地部材の一部によって塞がれ、戸袋外側の側面が開放されたものとなっているとともに、この開放された側面が前記外面形成部材で覆われるものとなっていてもよい。
【００３０】
前者によると、配線、配管類が配設された空間部の戸袋外側の側面が下地部材の一部で塞がれることにより、配線、配管類が戸袋の外部に露出することはなく、また、後者によると、配線、配管類が配設された空間部の戸袋外側の側面が開放されたものとなっていても、この開放された側面が前記外面形成部材で覆われるため、この後者でも、配線、配管類が戸袋の外部に露出することはない。
【００３１】
以上の本発明は、戸袋が壁の内部に収納された壁収納式戸袋となっているタイプの引戸装置、すなわち、戸袋の外面を形成する前記外面形成部材が戸袋の位置から外れた壁の部分の外面を形成している部材と同じ又は略同じ材料で形成され、この外面形成部材における外面の戸袋内外方向の位置がこの壁の部分の外面位置と同じ又は略同じになっているタイプの引戸装置にも適用でき、戸袋が壁収納式戸袋となっていないタイプの引戸装置、すなわち、戸袋を形成している材料及び構造が壁を形成している材料及び構造と異なっていて、外観上、戸袋を確認できるタイプの引戸装置にも適用できる。
【００３２】
また、本発明は、戸袋が引戸本体の両方の面を覆う部分を有する袋状となっているタイプの引戸装置にも適用でき、戸袋が、引戸本体の一方の面だけを覆う部分を有していて、引戸本体の他方の面が露出する片面式の戸袋となっているタイプの引戸装置にも適用できる。
【００３３】
さらに、引戸装置の外枠組み体を形成し、内部の空間部に配線、配管類が配設される前記部材は、上記の下地部材以外の戸袋を形成する部材でもよい。その一例は、戸袋における引戸本体の移動で開閉される開口部の側の見切り材である。すなわち、戸袋における引戸本体の移動で開閉される開口部の側の見切り材の内部の空間部を、前記配線、配管類を配設するための空間部と利用してもよい。
【００３４】
本発明が複数個の引戸本体を備えた引戸装置に適用される場合には、以上における戸袋は、１個又は複数個の引戸本体を収納するためのものでよい。
【００３５】
また、本発明は、戸袋が設けられないタイプの引戸装置にも適用でき、内側で引戸本体が移動する外枠組み体を備え、この外枠組み体を形成する部材であって、内部に空間部が形成されている部材を有している引戸装置であれば、本発明を適用できる。
【００３６】
また、以上の本発明において、前記空間部に配設される配線、配管類は、ナースコール等の電気装置や電気機器類のための配線だけでもよく、酸素供給装置等のための気体や液体を流通させる配管だけでもよく、これらの配線と配管の両方でもよい。また、配線、配管類は、電気配線や気体、液体を流通させる配管に限らず、引戸装置自体や、引戸装置が設置されている建物、構築物の構造上必要とされるワイヤー、チェーン等でもよく、要するに、配線、配管類は紐状部材であればよい。
【００３７】
さらに以上の本発明に係る引戸装置において、引戸本体の移動を案内するためのガイド部材は任意な形状、構造、形式等のものでよく、例えば、引戸本体の移動を案内するガイドレールやスライディングレール等によるガイド部材が引戸本体の上方に配置され、このガイド部材が上吊り式となっている引戸本体を吊り下げるためのものとなっていてもよく、また、ガイド部材が引戸本体の下方に配置され、その上を引戸本体が移動するようになっていてもよい。また、本発明に係る引戸装置は、これら両方のガイド部材を有しているものでもよい。
【００３８】
また、これらの引戸装置において、ガイド部材に案内される引戸本体の移動は、人手操作又は傾斜配置されたガイド部材に基づく引戸本体の自重で行われてもよく、また、引戸本体の閉じ移動と開き移動のうちの少なくとも一方が駆動装置により自動的に行われてもよい。
【００３９】
さらに、駆動装置の駆動原理は任意なものでよく、例えば、蓄圧されたばね力によって引戸本体を引っ張り移動させる渦巻きばね式のものでもよく、シリンダで引戸本体を移動させるシリンダ式のものでもよく、モータで回転するピニオンやベルトで引戸本体を移動させるモータ式のものでもよく、電磁石の吸引力、反発力で引戸本体を移動させるリニアモータ式のもの等でもよい。
【００４０】
さらに、本発明が適用される引戸装置は、引戸本体が１個のものでもよく、複数個のものでもよい。引戸装置が複数個の引戸本体を有している場合において、これらの引戸本体は引き分け式となっていてもよく、引き違い式になっていてもよく、これら両方が組み合わせられたものでもよい。
【００４１】
【発明の実施の形態】
以下に本発明の実施形態を図面に基づいて説明する。初めに、本実施形態に係る引戸装置の全体を説明する。
【００４２】
図１は、本実施形態に係る引戸装置の全体を示す正面図である。この引戸装置は、建物内、具体的には、病院内の廊下と病室との間を開閉自在に仕切るための室内用仕切り手段として設置され、引戸本体１は把持部１Ａを把持することにより左右動させることができ、左右動すると引戸本体１は、無目２と引戸本体戸先側の縦枠３と壁４と床５とに囲まれて形成されている出入口用の開口部６を開閉し、この開口部６を開いたときの引戸本体１の大部分は壁４の内部に形成されている戸袋７に収納される。すなわち、本実施形態に係る引戸装置は、開口部６を開いたときの引戸本体１が収納される戸袋７が壁４の内部に設けられている壁収納型の引戸装置になっている。
【００４３】
また、引戸本体１がその内側で移動する引戸装置の外枠組み体の基本構造は、無目２と、引戸本体戸先側の縦枠３と、引戸本体戸尻側の縦枠８とで形成され、この引戸本体戸尻側の縦枠８により戸袋７の終端部が形成されている。戸袋７もこの外枠組み体を形成するものとなっており、このため、戸袋７を形成する部材となっている後述の竪額縁９や下地部材５０、外面形成部材５５，５６、幅木５８，５９等の戸袋形成部材も外枠組み体を形成する部材となっている。
【００４４】
無目２は、無目本体２Ａと、この無目本体２Ａに設けられた点検用カバー２Ｂとからなり、点検用カバー２Ｂは、この無目本体２Ａに設けられているねじ孔に螺合される止めねじ等の止め具２Ｃで取り付け、取り外し自在になっており、したがって、無目本体２Ａに対して点検用カバー２Ｂは開閉自在となっている。無目本体２Ａは、図１のＳ５―Ｓ５線断面図である図５に示されているように、戸袋７まで延びる長さを有し、点検用カバー２Ｂは、無目本体２Ａの全長のうち、開口部６の上方に位置する部分だけに設けられている。
【００４５】
無目２の内部には、引戸本体１を移動させるための移動機構が配置されており、この移動機構は、開口部６と、開口部６に隣接して設けられている戸袋７とに跨っている。
【００４６】
図２及び図３には、移動機構の全体詳細図が示されている。図２は、この移動機構によって引戸本体１が閉じ限位置に達しているときを示し、図３は、引戸本体１が開き限位置に達しているときを示す。
【００４７】
図２に示すように、無目本体２Ａの内部には引戸本体１の移動を案内するためのガイド部材であるガイドレール１０が組み込まれ、上記移動機構を形成する部材であって、無目本体２Ａの略全長に亘る長さを有するこのガイドレール１０は、図１のＳ４―Ｓ４線断面図である図４に示すとおり、無目本体２Ａの内部に設けられている取付部材１１に取り付けられ、戸袋７の内部まで延びている。同一断面形状が長さ方向に連続しているこのガイドレール１０は、取付部材１１に取り付けられた基部１０Ａと、この基部１０Ａの下端から引戸本体１の厚さ方向に水平に延びるアーム部１０Ｂと、このアーム部１０Ｂの先端から垂直に立ち上がった係合部１０Ｃとを有する。
【００４８】
図２で示すように、引戸本体１には、ローラブラケット１３，１４に回転自在に取り付けられた２個のローラ１５，１６が引戸本体１の移動方向に配設され、ローラブラケット１３，１４を介して引戸本体１の上部に配置されているこれらのローラ１５，１６は、図４に示すように、引戸本体１の上方に不動部材となって水平に架設されているガイドレール１０の係合部１０Ｃに係合している。このため、引戸本体１は、ローラ１５，１６が係合部１０Ｃ上を転動することによりガイドレール１０に沿って移動するとともに、引戸本体１は、ガイドレール１０の係合部１０Ｃにローラ１５，１６及びローラブラケット１３，１４を介して吊り下げられた上吊り式となっている。
【００４９】
また、図１に示すように、戸袋７に近い開口部６の床５には、垂直軸を中心に回転自在となったガイドローラ１７が配置され、このガイドローラ１７は、図４に示すとおり、引戸本体１の下端に下向きに開口して配置されているチャンネル部材１Ｂの内部に挿入されており、ガイドレール１０に沿った引戸本体１の移動は、引戸本体１の下端がこのガイドローラ１７で案内されながらなされる。
【００５０】
図２に示されているように、ガイドレール１０の引戸本体開き側の端部には、引戸本体１を開き限位置に停止させるためのストップ装置２０が取り付けられ、このストップ装置２０は、引戸本体閉じ側に向けて本体２１に突設されたゴム等の弾性材料からなるストップ部材２２と、本体２１に取り付けられた小径ローラによる被係止部材２３とを有する。一方、引戸本体１に設けられている２個のローラブラケット１３，１４のうち、引戸本体開き側のローラブラケット１４の後端には板状の受け部材２４が結合され、この受け部材２４には板ばねの折り曲げで形成されている係止部材２５が取り付けられている。
【００５１】
引戸本体１を前記把持部１Ａで開き側に移動させ、この移動が開き限位置に達すると、図３に示されているように、被係止部材２３には、一旦上向きに湾曲変形してもとの形状に弾性復帰する係止部材２５が係止するとともに、受け部材２４はストップ部材２２に当接し、これにより引戸本体１は開き限位置に停止する。
【００５２】
また、引戸本体１の把持部１Ａに引戸本体閉じ側への操作力を作用させた場合には、被係止部材２３から上向きに弾性変形する係止部材２５が離脱するため、引戸本体１はガイドレール１０とガイドローラ１７に案内されて閉じ側へ移動する。
【００５３】
また、図２及び図３に示されているように、引戸本体１に設けられている２個のローラブラケット１３，１４のうち、引戸本体閉じ側のローラブラケット１３には、引戸本体１を閉じ移動させるための駆動装置３０のケーシング３０Ａがブラケット３１で取り付けられている。駆動装置３０はケーシング３０Ａ内に回転自在に収納されたリール３３を有し、このリール３３の内部には渦巻きばねが配置され、この渦巻きばねの一端はリール３３に結合されているとともに、他端はケーシング３０Ａに結合されている。
【００５４】
また、リール３３には、図２及び図３で示されているナイロン紐又はワイヤー等からなる紐状部材３４が巻かれているとともに、この紐状部材３４の一端が結合されている。この紐状部材３４はケーシング３０Ａから導出され、紐状部材３４の他端は、不動部材であって前述した外枠組み体を形成している縦枠３に設けられたフック部材３５に係止されている。
【００５５】
図２で示すように閉じ限位置に達している引戸本体１を把持部１Ａで図３に示すように開き側へ移動させたときには、紐状部材３４がリール３３を回転させながら駆動装置３０のケーシング３０Ａから繰り出され、このとき、リール３３の内部の上記渦巻きばねがリール３３の回転で蓄圧されるようになっている。このため、この後に把持部１Ａから手を離すと（引戸本体１が図３のように閉じ限位置に達しているときには、前述のように、把持部１Ａに操作力を作用させて被係止部材２３から係止部材２５を離脱させると）、渦巻きばねの蓄圧力によってリール３３には、引戸本体１の開き移動時とは逆方向へ引戸本体１を移動させようとする回転力が生じているため、この回転力で緊張している紐状部材３４の引張力によって引戸本体１は閉じ側へ引っ張られ、リール３３が回転して紐状部材３４を巻き取ることにより、引戸本体１は閉じ限位置まで自動的に移動する。
【００５６】
したがって、本実施形態における引戸本体１を閉じ側へ自動的に移動させるための駆動装置３０は渦巻きばね式であるとともに、紐状部材３４の引張力による引張式駆動装置となっている。
【００５７】
図２及び図３に示すように、ガイドレール１０には、閉じ側への引戸本体１の移動速度を低速化させて制動させ、引戸本体１を閉じ限位置に減速させて到達させるための制動装置４０が取り付けられている。この制動装置４０は、シリンダ本体４１と、シリンダ本体４１にガイドレール１０の長さ方向に伸縮自在に挿入されたピストンロッド４２とを有するシリンダ装置で構成され、シリンダ本体４１は、不動部材となっているガイドレール１０に取り付けられている。
【００５８】
図２及び図３で示すように、引戸本体１に２個設けられているローラブラケット１３，１４のうち、引戸本体開き側のローラブラケット１４には、ピストンロッド４２の先端部が挿抜自在となったキャッチ部材４４が取り付けられ、ピストンロッド４２の先端部と、この先端部が挿入されるキャッチ部材４４の内部とのうち、一方には磁石が設けられ、他方にはこの磁石に吸着する磁性材料が設けられている。このため、ピストンロッド４２とキャッチ部材４４とは、磁力で接続分離自在となっている。
【００５９】
図２に示すように引戸本体１が閉じ限位置に達しているときには、シリンダ本体４１に対して収縮しているピストンロッド４２の先端部がキャッチ部材４４の内部に挿入された状態になっており、引戸本体１を開き側へ移動させると、ピストンロッド４２の先端部とキャッチ部材４４とが上記磁力で接続されているため、ピストンロッド４２はシリンダ本体４１に対して伸び作動する。このピストンロッド４２が伸び作動限に達してもさらに引戸本体１が開き側に移動すると、図３に示すように、ピストンロッド４２とキャッチ部材４４とが分離し、ピストンロッド４２はその位置で停止する。また、引戸本体１が前記引張式駆動装置３０の駆動力で閉じ側へ移動し始め、そして引戸本体１が所定位置に達すると、キャッチ部材４４はピストンロッド４２に当接してこれらのキャッチ部材４４とピストンロッド４２とが上記磁力で再度接続され、引戸本体１がさらに閉じ側へ移動することにより、ピストンロッド４２はシリンダ本体４１に対して収縮作動する。
【００６０】
なお、ピストンロッド４２の先端部と、この先端部が挿入されるキャッチ部材４４の内部とに互いに磁性が逆となった磁石を設けることにより、ピストンロッド４２とキャッチ部材４４とを上記と同様に接続分離自在としてよい。
【００６１】
シリンダ本体４１には、ピストンロッド４２が伸び作動したときに多量のエアをシリンダ本体４１の内部に吸引し、ピストンロッド４２が収縮作動したときにはこのエアを絞りながら排出するバルブが設けられている。このため、ピストンロッド４２が伸び作動する引戸本体１の開き移動時には、引戸本体１を軽く移動させることができ、また、ピストンロッド４２が収縮作動する引戸本体１の閉じ移動時には、引戸本体１がシリンダ本体４１の内部のエア圧力によって制動されながら移動し、減速された速度で閉じ限位置に達するようになっている。
【００６２】
図１で示すように、戸袋７の箇所には、戸袋７の骨組み材又は補強材となっている横方向（戸袋７の幅方向であって、引戸本体１の移動方向）に細長い下地部材５０が配置され、細長形状の部材となっているこの下地部材５０は、上下方向に間隔を開けて複数設けられている。これらの下地部材５０は、戸袋７の幅方向両端部まで達する同じ長さを有しているが、本実施形態に係る戸袋７には、図５に示されているように、上下寸法が異なる４種類の下地部材５０Ａ，５０Ｂ，５０Ｃ，５０Ｄが用いられている。
【００６３】
すなわち、戸袋７の両方の面において、言い換えると、引戸本体１の一方の面と他方の面に対向する両方の面において、最下段の下地部材５０は上下寸法が最も大きい下地部材５０Ａであり、最下段から２段目と３段目の下地部材５０は上下寸法が最も小さい下地部材５０Ｄである。下地部材５０Ａ同士、最下段から２段目の下地部材５０Ｄ同士、最下段から３段目の下地部材５０Ｄ同士は、それぞれ同じ高さ位置に配置されている。図５における右側の最上段の下地部材５０、言い換えると、図１で示された側の最上段の下地部材５０は、上下寸法が３番目に大きい下地部材５０Ｃであり、図５における左側の最上段の下地部材５０は、上下寸法が２番目に大きい下地部材５０Ｂである。
【００６４】
これらの下地部材５０は金属板の折り曲げで形成されており、下地部材５０の全体斜視図である図９で示すとおり、長さ方向と直角をなす幅方向の途中部、すなわち、上下方向の途中部には、下地部材５０の厚さ方向へ屈曲突出しかつ下地部材５０の長さ方向へ連続して延びている屈曲突出部５１が形成されており、この突出方向は戸袋７の外側である。このように、それぞれの下地部材５０は戸袋７の外側へ屈曲突出した部分を有する屈曲材からなり、これらの下地部材５０は、上下の幅狭のフランジ部５２から屈曲突出部５１の屈曲突辺部５１Ａが直角又は略直角に折り曲げられたものとなっている。
【００６５】
また、下地部材５０には、屈曲突出部５１のために戸袋内側が開放された空間部Ｓ１が形成され、この空間部Ｓ１の厚さ方向は戸袋７の内外方向であって、空間部Ｓ１は下地部材５０の全長に亘って連続している。
【００６６】
図１のＳ８−Ｓ８線断面図である図８に示すように、戸袋７の引戸本体閉じ側の端部、言い換えると、戸袋７における引戸本体１で開閉される前記開口部６の側の端部には見切り材としての竪額縁９が設けられ、この竪額縁９には戸袋７の内側において引戸本体開き側へ延びる延出部９Ａが設けられている。また、竪額縁９には補助部材５３が取り付けられ、アングル材からなるこの補助部材５３には、戸袋７の内外方向への間隔を開けて延出部９Ａと平行に引戸本体開き側へ延びる延出部５３Ａが設けられている。これらの延出部９Ａと５３Ａとの間にそれぞれの下地部材５０の一方の端部が挿入され、これらの端部はドリルねじ等の止着具５４で補助部材５３に止められており、また、それぞれの下地部材５０の他方の端部は前述した戸尻側の縦枠８にドリルねじ等の止着具５４で止められている。
【００６７】
図５に示すように、内部が戸袋７となっている壁４の一方の側と他方の側の外面は、戸袋７の内外方向（壁４の厚さ方向）に重ねられた内外２枚の外面形成部材５５，５６で形成され、石膏ボード製であるこれらの外面形成部材５５，５６のうち、内側の外面形成部材５５は、上下に間隔を開けて平行に配設されている下地部材５０同士の間に複数組み込まれている。これらの外面形成部材５５の厚さは下地部材５０の図９で示した屈曲突辺部５１Ａの戸袋内外方向の幅寸法Ｗと対応しており、下地部材５０同士の間に配置されているそれぞれの外面形成部材５５は、上下端部が下地部材５０のフランジ部５２に押し当てられている。図９に示すとおり、これらのフランジ部５２には両面粘着テープ５７が予め取り付けられているため、外面形成部材５５はこれらの両面粘着テープ５７で下地部材５０に固定されている。
【００６８】
図７は、図５における最下段から３段目の下地部材５０Ｄの部分を示す拡大図であり、上述したように、この下地部材５０Ｄにおける両方のフランジ部５２に、この下地部材５０Ａの上下に配置されている外面形成部材５５が図９で示された両面粘着テープ５７で固定されている。
【００６９】
また、それぞれの外面形成部材５５の前記開口部６側の端部は、図８で示した竪額縁９の延出部９Ａと補助部材５３の延出部５３Ａとの間に挿入されている。
【００７０】
図６は図５で示された戸袋７の下部の拡大図であり、戸袋７の下部には内外二重の幅木５８，５９が配置され、内側の幅木５８の両端立上部５８Ａと外側の幅木５９の両端立上部５９Ａとの間に最下段の外面形成部材５５の下端部が挿入されている。
【００７１】
以上のように配置された内側の外面形成部材５５の外側に、図１の表裏両側において外面形成部材５６が配置されている。下地部材５０をも覆う大面積となっているこの外側の外面形成部材５６は、下地部材５０の屈曲突出部５１、補助部材５３の延出部５３Ａ、外側の幅木５９の両端立上部５９Ａにステープル等の止着具で結合されている。外面形成部材５６の表面にはビニルクロス等の化粧部材が被せられ、これにより、戸袋７が内部に収納されている前記壁４の表面が仕上げられている。
【００７２】
前述したように、病院の廊下と病室との間を開閉自在に仕切るための手段として設置されている本実施形態に係る引戸装置においては、図１に示すように、戸袋７の箇所に電気装置であるナースコール６０が取り付けられている。このナースコール６０まで延びる電気配線６１は、最下段から３段目の下地部材５０Ｄに沿って戸袋７の内部に配設されており、この配設を行うために、図８で示すように、外面形成部材５６及び下地部材５０Ｄに電気配線６１を通すための孔６２，６３が形成され、また、電気配線６１は引戸本体閉じ側の縦枠８に形成された孔６４を通って戸袋７から外れた壁４の部分の内部から導入されており、この壁４の内部を通って電気配線６１は所定位置まで達している。
【００７３】
また、電気配線６１は、図７で示されているとおり、上下方向の途中部に戸袋外側へ突出した屈曲突出部５１が形成された下地部材５０Ｄの空間部Ｓ１、具体的に説明すると、戸袋外側へ突出した屈曲突出部５１よりも戸袋内側において、この屈曲突出部５１と上下２個の屈曲突辺部５１Ａとで下地部材５０Ｄに形成されている空間部Ｓ１に配設され、この電気配線６１は、上下２個の屈曲突辺部５１Ａのうち、空間部Ｓ１の下面となっている下側の屈曲突辺部５１Ａの上に置かれている。
【００７４】
そして、電気配線６１は、その延設方向の複数箇所において、下地部材５０に取り付けられた保持部材６５で保持されている。
【００７５】
以上の電気配線６１は、引戸装置の組立設置作業を行う前までに図８で示した縦枠８の手前まで延設されており、縦枠８等からなる引戸装置の外枠組み体が形成された後、電気配線６１は縦枠８の孔６４に通される。また、電気配線６１は、下地部材５０Ｄが図８で示した止着具５４で補助部材５３の延出部５３Ａと縦枠８に結合される前に、下地部材５０Ｄに取り付けられた保持部材６５で保持されてこの下地部材５０Ｄの屈曲突辺部５１Ａの上に載せられるとともに、下地部材５０Ｄの孔６３から導出され、この後、下地部材５０Ｄは止着具５４で補助部材５３の延出部５３Ａと縦枠８に結合される。
【００７６】
外面形成部材５６を下地部材５０Ｄ等に前述したようにステープル等の止着具で固定するときには、この外面形成部材５６に形成した孔６２に電気配線６１が通され、また、外面形成部材５６の表面にビニルクロス等の化粧部材を被せるときは、この化粧部材に設けた孔に電気配線６１が通される。この後、電気配線６６１と接続されたナースコール６０を外面形成部材５６及び下地部材５０Ｄに図示しない止着具で取り付ける作業が行われる。
【００７７】
以上により、ナースコール６０のための電気配線６１を配設しながら、引戸装置の組立設置作業が終了する。
【００７８】
以上説明した本実施形態によると、それぞれの下地部材５０は戸袋外側へ屈曲突出した屈曲突出部５１を有する屈曲材からなり、このため、下地部材５０自体の強度、及び下地部材５０を骨組み材又は補強材としている戸袋７の全体強度が大きくなっているとともに、ナースコール６０のための電気配線６１は、屈曲突出部５１によって下地部材５０Ｄに形成されていて、戸袋７の内外方向を厚さ方向とする空間部Ｓ１に配設されているため、下地部材５０Ｄの強度を大きくするために自ずと下地部材５０Ｄに形成されている空間部Ｓ１を有効に利用して電気配線６１を合理的に配設できることになる。
【００７９】
また、下地部材５０Ｄは屈曲突出部５１によって大きな強度を有するものとなっているため、下地部材５０Ｄに沿って電気配線６１を配設することにより、電気配線６１を下地部材５０Ｄで有効に保護できる。
【００８０】
さらに、空間部Ｓ１は、戸袋７の左右方向の全体に亘る長さとなっている下地部材５０Ｄの全長に連続して形成されているため、電気配線６１を戸袋７の左右方向の任意な位置から任意な位置まで配設することができる。
【００８１】
また、電気配線６１は、下地部材５０Ｄにおける戸袋外側へ水平又は略水平に突出した屈曲突辺部５１Ａの上に載せられて配設されているため、電気配線６１の配設を安定させることができる。
【００８２】
さらに、電気配線６１は、下地部材５０Ｄに取り付けられた保持部材６５で保持されているため、空間部Ｓ１からの電気配線６１の脱落は防止され、電気配線６１を所定位置に所定どおり配設できる。そして、保持部材６５は、屈曲突出部５１で強度が大きくなっている下地部材５０Ｄに取り付けられているため、下地部材５０Ｄへの保持部材６５自体の取付強度も大きくできる。
【００８３】
また、電気配線６１が配設された下地部材５０Ｄの空間部Ｓ１は、戸袋内側の側面が開放されたものとなっているが、戸袋外側の側面は屈曲突出部５１で塞がれた状態となっているため、この屈曲突出部５１及びこの屈曲突出部５１の外側に配置された外面形成部材５６により、電気配線６１が外部に露出することはなく、また、これらの屈曲突出部５１と外面形成部材５６によって電気配線６１を外力から保護できる。
【００８４】
図１０は、電気配線６１を配設するための空間部の別実施形態を示す。この実施形態における下地部材１５０も、前記実施形態と同じく、上下方向の途中部に戸袋外側へ屈曲突出した屈曲突出部１５１を有する屈曲材からなり、上下の幅狭のフランジ部１５２から屈曲突出部１５１の上下２個の屈曲突辺部１５１Ａが直角又は略直角に折り曲げられている。
【００８５】
この実施形態では、２個の下地部材１５０が上下に並設され、上側の下地部材１５０における下側の屈曲突辺部１５１Ａとフランジ部１５２及び下側の下地部材１５０における上側の屈曲突辺部１５１Ａとフランジ部１５２により、戸袋内側の側面が塞がれているとともに、戸袋外側の側面が開放されている空間部Ｓ２が形成されている。戸袋７の内外方向を厚さ方向とするこの空間部Ｓ２に電気配線６１が配設され、電気配線６１は下側の下地部材１５０における上側の屈曲突辺部１５１Ａの上に載せられているとともに、この下地部材１５０に取り付けられた保持部材６５で保持されている。
【００８６】
そして、空間部Ｓ２の開放されている戸袋外側の側面は、それぞれの下地部材１５０の屈曲突出部１５１にステープル等の止着具で固定される外面形成部材５６で覆われている。
【００８７】
この実施形態によっても、強度を大きくするために屈曲材となっている下地部材１５０で形成される空間部Ｓ２を利用して電気配線６１を合理的に配設できることになり、この空間部Ｓ２の戸袋外側の側面が開放されていても、この側面は外面形成部材５６で覆われるため、電気配線６１が外部に露出することはない。
【００８８】
図１１は、電気配線６１を配設するための空間部のさらなる別実施形態を示す。この実施形態における下地部材２５０も、上下方向の途中部に屈曲突出部２５１が形成された屈曲材からなり、上下の幅狭のフランジ部２５２から屈曲突出部２５１の上下２個の屈曲突辺部２５１Ａが直角又は略直角に折り曲げられているが、屈曲突出部２５１の突出方向は戸袋内側である。
【００８９】
この実施形態では、屈曲突出部２５１と上下２個の屈曲突辺部２５１Ａとで形成されている空間部Ｓ３に電気配線６１が配設され、この電気配線６１は下側の屈曲突辺部２５１Ａの上に載せられているとともに、下地部材２５０に取り付けられた保持部材６５で保持されている。
【００９０】
空間部Ｓ３における戸袋内側の側面は下地部材２５０の屈曲突出部２５１で塞がれているが、戸袋外側の側面は開放され、この開放された側面は、図１０の実施形態と同じく、下地部材２５０の屈曲突出部２５１にステープル等の止着具で固定される下地部材５６で覆われている。
【００９１】
この実施形態でも、強度を大きくするために屈曲材からなる下地部材１５０で形成される空間部Ｓ３を利用して電気配線６１が合理的に配設され、この空間部Ｓ３の戸袋外側の側面が開放されていても、この側面は外面形成部材５６で覆われるため、電気配線６１が外部に露出することはない。
【００９２】
以上説明したそれぞれの実施形態から分かるように、電気配線６１を配設するための空間部を形成する下地部材の形状、個数等は任意である。
【００９３】
図１２〜図１４は、電気配線６１の配設場所及びその配設方向に関する別実施形態を示す。
【００９４】
この実施形態では、図１２及び図１２のＳ１３−Ｓ１３線断面図である図１３に示されているように、引戸装置の前記外枠組み体を形成する部材となっていて、戸袋７における引戸本体１の移動で開閉される前記開口部６の側の見切り材となっている竪額縁９の内部の空間部Ｓ４に電気配線６１を配設し、この電気配線６１を前記下地部材５０Ｄが接続されている竪額縁９の箇所からこの下地部材５０Ｄへ湾曲侵入させ、下地部材５０Ｄへ侵入した電気配線６１を、図７及び図８で示した実施形態と同じく、下地部材５０Ｄに取り付けられた保持部材６５で保持させて図１２で示すナースコール６０側へ延設し、そしてナースコール６０に接続している。
【００９５】
図１３で示されているように、竪額縁９及び前記補助部材５３の下地部材５０Ｄとの接続箇所には切欠部７０が形成され、この切欠部７０を跨ぐように、図１４で示したガイド部材７１が設けられている。このガイド部材７１の一端７１Ａは両面粘着テープ等の結合部材で竪額縁９の内面に結合されている。
【００９６】
この実施形態では、竪額縁９の内部の空間部Ｓ４に電気配線６１を上方から挿入する作業を行うことにより、この電気配線６１をガイド部材７１で案内させて下地部材５０Ｄへ湾曲配線することができる。この作業は、下地部材５０Ｄを前述のとおりに竪額縁９と縦枠８との間に架設した後であって、下地部材５０に外面形成部材５５，５６を取り付ける前に行われる。
【００９７】
なお、図１３で示されている切欠部７０から戸袋７の内側へ露出するガイド部材７１の一部分の外側を覆うためのカバーを竪額縁９に設けてもよい。
【００９８】
この実施形態によっても、引戸装置の外枠組み体を形成している部材の内部の空間部を有効に利用して電気配線６１を合理的に配設できることになる。
【００９９】
以上において、図１、図１２の実施形態では、ナースコール６０は下地部材５０Ｄと同じ配置位置に設けられ、この下地部材５０Ｄにビス等の止着具で止着されるようになっていたが、ナースコール６０の配置位置を、図１、図１２で上下４本示されている下地部材５０のうちの上下２本の下地部材の間とし、これらの下地部材に架け渡したブラケットにナースコール６０をビス等の止着具で止着してもよい。
【０１００】
また、ナースコール６０の配置位置を図１、図１２で示されている戸袋７から外れた位置とし、その配置位置まで電気配線６１を延設してもよい。
【０１０１】
【発明の効果】
本発明によると、引戸装置において配線、配管類を合理的に配設できるという効果を得られる。
【図面の簡単な説明】
【図１】本発明の一実施形態に係る引戸装置の全体を示す正面図である。
【図２】引戸本体を移動させるための移動機構を示す図であって、引戸本体が閉じ限位置に達しているときを示す図である。
【図３】引戸本体を移動させるための移動機構を示す図であって、引戸本体が開き限位置に達しているときを示す図である。
【図４】図１のＳ４―Ｓ４線断面図である。
【図５】図１のＳ５―Ｓ５線断面図である。
【図６】図５で示された戸袋の下部の拡大図である。
【図７】電気配線が配設された下地部材の部分を示す図５の一部拡大図である。
【図８】図１のＳ８―Ｓ８線断面図である。
【図９】下地部材の全体斜視図である。
【図１０】電気配線を配設するための別実施形態に係る空間部を示す図７と同様の図である。
【図１１】電気配線を配設するためのさらなる別実施形態に係る空間部を示す図７と同様の図である。
【図１２】電気配線を、戸袋における引戸本体の移動で開閉される開口部の側の見切り材となっている竪額縁の内部の空間部に配設した実施形態を示す図１と同様の図である。
【図１３】図１２のＳ１３−Ｓ１３線断面図である。
【図１４】図１２の実施形態における電気配線が配設された箇所を示す要部断面の拡大図である。
【符号の説明】
１  引戸本体
４  壁
６  引戸本体の移動で開閉される出入り口用開口部
７  戸袋
９  戸袋における開口部の側の見切り材である竪額縁
１０  引戸本体の移動を案内するガイド部材であるガイドレール
５０，５０Ａ〜５０Ｄ，１５０，２５０  下地部材
５１、１５１，２５１  屈曲突出部
５１Ａ，１５１Ａ，２５１Ａ  屈曲突辺部
５５，５６  外面形成部材
６０  ナースコール
６１  電気配線
６５  保持部材
Ｓ１，Ｓ２，Ｓ３，Ｓ４  空間部
【図１】
0004625206.tif 000002
【図２】
0004625206.tif 000003
【図３】
0004625206.tif 000004
【図４】
0004625206.tif 000005
【図５】
0004625206.tif 000006
【図６】
0004625206.tif 000007
【図７】
0004625206.tif 000008
【図８】
0004625206.tif 000009
【図９】
0004625206.tif 000010
【図１０】
0004625206.tif 000011
【図１１】
0004625206.tif 000012
【図１２】
0004625206.tif 000013
【図１３】
0004625206.tif 000014
【図１４】
0004625206.tif 000015